(57)【要約】振動部が起動してもハードディスクドライブを保護でき、かつ、ハードディスクドライブの処理待ち時間および使用者に対する報知の処理待ち時間を低減することのできる通信端末を提供する。  外部装置と各種データを送受する通信部３３と、筺体１５に設けられ情報を読み書き可能なハードディスクドライブ３５と、通信部３３およびハードディスクドライブ３５を制御する制御部３７と、通信部３３により得られた着信要求に基づき制御部３７によって着信を使用者に通知する報知手段とを備え、報知手段が筺体１５を振動させる振動部３１を有する通信端末１００であって、ハードディスクドライブ３５に対する読み書き中に通信部３３に対する着信要求を制御部３７が検知したときに、ハードディスクドライブ３５に対する読み書きを終了させてから振動部３１を起動させる保護モードを選択可能にする。【特許請求の範囲】
【請求項１】
外部装置と各種データを送受する通信部と、筺体に設けられ情報を読み書き可能なハードディスクドライブと、前記通信部および該ハードディスクドライブを制御する制御部と、前記通信部により得られた着信要求に基づき前記制御部によって着信を使用者に通知する報知手段とを備え、
前記報知手段が前記筺体を振動させる振動部を有する通信端末であって、
前記ハードディスクドライブに対する読み書き中に前記通信部に対する着信要求を前記制御部が検知したときに、
前記ハードディスクドライブに対する読み書きを終了させてから前記振動部を起動させる保護モードを選択可能であることを特徴とする通信端末。
【請求項２】
前記振動部が起動する前に、前記ハードディスクドライブのヘッドが記録面から退避するとともに、前記振動部が停止するまで退避位置に維持されることを特徴とする請求項１記載の通信端末。
【請求項３】
前記制御部が、前記振動部の振動期間と、前記ハードディスクドライブの読み書き期間とを交互に繰り返し作動させることを特徴とする請求項１または２記載の通信端末。
【請求項４】
前記制御部が、前記振動期間と前記読み書き期間とのデューティー比を任意に設定可能とすることを特徴とする請求項３記載の通信端末。
【請求項５】
前記制御部が、一定の順番の前記振動期間と前記読み書き期間とを一組としてｎ組繰り返すに際し、任意のａ組の前記振動期間と前記読み書き期間との前後を反転させることを特徴とする請求項３または請求項４記載の通信端末。
【発明の詳細な説明】
【技術分野】
【０００１】  本発明は、振動部およびハードディスクドライブを同一の筺体に備えた通信端末に関し、特に、振動部の起動からハードディスクドライブを保護しつつ、ハードディスクドライブの処理待ち時間および使用者に対する報知の処理待ち時間を低減させる改良技術に関する。
【背景技術】
【０００２】  従来の通信端末である携帯電話は、筺体に操作部、表示部、通信部、制御部、記憶部、マイクロホン、レシーバ（通話相手の声を聞くためのもの）、着信の報知手段であるスピーカ（着信音や音声を出力）、着信の報知手段である振動部（バイブレータ）を備えて構成される。
近年、この種の通信端末では、記憶容量の大容量化の要請があり、経済的に有利なハードディスクドライブ（ＨＤＤ）を採用した携帯電話が提案されている。【０００３】  ところが、ハードディスクドライブと振動部とを同一筺体に備えた携帯電話では、ハードディスクドライブの読み書き期間中に振動部が起動されると、その振動によってヘッドの変位に伴うシークエラーが起き、リードエラー、ライトエラー、ディスクの損傷等が発生し易くなる問題があった。【０００４】  そのため、例えば、ハードディスクドライブを内蔵する情報端末機器等の小型電子機器において、筺体の振動を検知するセンサを設け、このセンサが異常を検知したとき、動作の中断処理、および起動の停止処理の少なくともいずれかを実行する手段を備えたものが提案されている。
この電子機器では、振動センサより出力された検知信号に伴うＳＭＩ（Ｓｙｓｔｅｍ  Ｍａｎａｇｅｍｅｎｔ  Ｉｎｔｅｒｒｕｐｔ）通知により、ＣＰＵのＢＩＯＳ処理により、駆動停止を伴うメモリサスペンド処理が実行される。すなわち、振動センサにより振動部の振動を検出し、振動が許容範囲を超える場合に読み書きを中断してハードディスクドライブの保護処理が行われる。これにより、ハードディスクドライブの障害を回避し、その障害により派生するデータ破壊の回避を図っている（例えば特許文献１参照）。
【特許文献１】特開２００１−１８４７７２号公報
【発明の開示】
【発明が解決しようとする課題】
【０００５】  しかしながら、従来の通信端末においては、振動部の振動をセンサにて検出するまでの間、および検出してから読み書きを中断させるまでの間に所定の時間を要するため、振動を検出してから読み書き中断までにタイムラグがあり、保護処理が不十分となる（間に合わない）可能性があった。【０００６】  そして、着信要求を受けた時に、ハードディスクドライブの読み書き処理が「完結」するまで振動部を停止すれば、使用者への着信通知時間が遅れてしまう。
また、逆に読み書き処理を停止して着信通知を先に行い、使用者の着信確認後に読み書き処理を再開すれば、読み書き処理が遅れてしまう。
つまり、ハードディスクドライブの処理待ち時間、または使用者に対する報知の処理待ち時間のいずれかが増大化してしまう問題があった。【０００７】  一方、ハードディスクドライブを確実に保護するために、制御部が着信要求を受け、振動部を起動させる前にハードディスクドライブに対する読み書きを「一時的」に中断する方法も考えられるが、ハードディスクドライブに対する読み書きが無条件に中断されると、重要（クリティカル）な処理が中断される可能性があり、システムエラーの生じる虞があった。【０００８】  本発明は、従来の問題を解決するためになされたもので、振動部が起動してもハードディスクドライブを保護でき、かつ、ハードディスクドライブの処理待ち時間および使用者に対する報知の処理待ち時間を低減することのできる通信端末を提供することを目的とする。
【課題を解決するための手段】
【０００９】  本発明の通信端末は、外部装置と各種データを送受する通信部と、筺体に設けられ情報を読み書き可能なハードディスクドライブと、前記通信部および該ハードディスクドライブを制御する制御部と、前記通信部により得られた着信要求に基づき前記制御部によって着信を使用者に通知する報知手段とを備え、前記報知手段が前記筺体を振動させる振動部を有する通信端末であって、前記ハードディスクドライブに対する読み書き中に前記通信部に対する着信要求を前記制御部が検知したときに、前記ハードディスクドライブに対する読み書きを終了させてから前記振動部を起動させる保護モードを選択可能とした構成を有している。【００１０】  この構成により、読み書き中に着信要求が検知されると、制御部が、ハードディスクドライブの作動に割り当てられる占有期間（読み書き期間）と、振動部の作動に割り当てられる占有期間（振動期間）とのそれぞれを設定する。これにより、必要最低限の書き込みをハードディスクドライブに完了させた後、必要最短の待ち時間で振動部を起動させることが可能となる。【００１１】  また、本発明の通信端末は、前記振動部が起動する前に、前記ハードディスクドライブのヘッドが記録面から退避するとともに、前記振動部が停止するまで退避位置に維持される構成を有している。【００１２】  この構成により、ヘッドと、磁気ディスクの記録・再生面とが離反配置され、振動部の起動による振動で、ヘッドと記録・再生面とが接触することによる読み書き不良、あるいはヘッドや記録・再生面の破損が防止される。【００１３】  さらに、本発明の通信端末は、前記制御部が、前記振動部の振動期間と、前記ハードディスクドライブの読み書き期間とを交互に繰り返し作動させる構成を有している。【００１４】  この構成により、読み書き中に着信要求が検知されると、制御部が、所定のタイムシェア期間を設定し、このタイムシェア期間を、振動期間と読み書き期間とに交互に割り振る。
したがって、所定のデューティー比で振動と読み書きとを交互に行うこととなり、振動部の静止時間を読み書き時間に充てて、双方の待ち時間を増大させない制御が可能となる。
これにより、着信要求と略同時に振動部の起動が可能となり、ハードディスクドライブを保護しつつ読み書きを行って、ハードディスクドライブの処理待ち時間を低減するとともに、必要最短の待ち時間で振動部を起動させ、使用者に対する報知の処理待ち時間を低減して、着信通知を遅らせることがない。【００１５】  さらに、本発明の通信端末は、前記制御部が、前記振動期間と前記読み書き期間とのデューティー比を任意に設定可能とする構成を有している。【００１６】  この構成により、デューティー比である振動期間と読み書き期間との時間長が最適に設定可能となり、使用者に最適な報知振動パターン、或いは対象データに最適な読み書き動作パターンが設定可能となる。これにより、ハードディスクドライブの読み書き処理に応じて振動期間と読み書き期間との比率が調整でき、有効かつ、効率的な振動報知動作および読み書き動作が実現可能になるとともに、クリティカルな読み書き処理の要求が満たせるようになる。【００１７】  また、本発明の通信端末は、前記制御部が、一定の順番の前記振動期間と前記読み書き期間とを一組としてｎ組繰り返すに際し、任意のａ組の前記振動期間と前記読み書き期間との前後を反転させる構成を有している。【００１８】  この構成により、ａ−１組とａ組に跨って振動期間または読み書き期間のいずれか一方が連続し、ａ組とａ＋１組に跨って振動期間または読み書き期間のいずれか他方が連続することとなる。この連続により、実質的に読み書き動作に費やされていなかった時間が読み書き期間に利用できるようになり、その分、読み書き期間が短縮され、かつ、有効な報知が可能となる。
【発明の効果】
【００１９】  本発明は、通信部と、ハードディスクドライブと、これらを制御する制御部と、通信部により得られた着信を使用者に通知する報知手段とを備え、報知手段が振動部を有する通信端末であって、ハードディスクドライブに対する読み書き中に着信要求を検知したときに、ハードディスクドライブに対する読み書きを終了させてから振動部を起動させる保護モードを選択可能に設けている。したがって、読み書き中に着信要求が検知されると、制御部が、読み書き期間と振動期間とのそれぞれを設定し、必要最低限の書き込みをハードディスクドライブに完了させた後、振動部を起動させる。これにより、振動期間と読み書き期間とが重複しなくなり、振動部による振動からハードディスクドライブを高精度に保護でき、かつ、ハードディスクドライブの処理待ち時間および使用者に対する報知の処理待ち時間を低減できるという効果を有する通信端末を提供することができる。
【図面の簡単な説明】
【００２０】
【図１】本発明の第１実施形態に係る通信端末の外観斜視図である。
【図２】図１に示した通信端末の要部構成を表したブロック図である。
【図３】最低限必要なＨＤＤ書込み処理完了後にバイブレーション制御する第１実施形態のフローチャートである。
【図４】最低限必要なＨＤＤ書込み処理完了後にバイブレーション制御する第１実施形態のタイミングチャートである。
【図５】ＨＤＤ処理とバイブレーション制御をタイムシェアする第２実施形態のフローチャートである。
【図６】ＨＤＤ処理とバイブレーション制御をタイムシェアする第２実施形態のタイムチャートである。
【図７】ＨＤＤ処理とバイブレーション制御を周期変更可能にタイムシェアする場合の第３実施形態のタイミングチャートである。
【図８】デューティー比を変更可能にタイムシェアする場合の第３実施形態の変形例のタイミングチャートである。
【図９】ＨＤＤ処理とバイブレーション制御の任意の組において周期を変更可能にする場合の第４実施形態のタイミングチャートである。
【符号の説明】
【００２１】１５  筺体
２１  スピーカ（報知手段）
３１  バイブレータ部（振動部；報知手段）
３３  通信部
３５  ハードディスクドライブ
３７  制御部
１００  携帯電話（通信端末）
Ｘ  ＨＤＤ動作時間（読み書き期間）
Ｙ  バイブレーション制御時間（振動期間）
【発明を実施するための最良の形態】
【００２２】  以下、本発明の実施形態の通信端末について、図面を用いて説明する。
図１は本発明の第１実施形態に係る通信端末の外観斜視図、図２は図１に示した通信端末の要部構成を表したブロック図である。
図１に示すように、通信端末である携帯電話１００は、上筐体１１および下筐体１３からなる筐体１５と、これら上下の筐体１１、１３を固設し、これら上下の筐体１１、１３の間で折り曲り可能な連結装置１７とを備えている。【００２３】  このうち、上筐体１１は、第１の音声出力部である受話部（レシーバ）１９と、報知手段として働く第２の音声出力部であるスピーカ２１と、表示部２３と、図示しない第１プリント基板等を収容している。
なお、第１プリント基板には、表示部２３を構成するＬＣＤ等が設けられている。【００２４】  一方、下筐体１３には、送話部（マイクロフォン）２５と、複数のボタン２７からなる操作部２９と、報知手段である振動部（バイブレータ部）３１と、通信部３３と、ハードディスクドライブ３５と、制御部３７と、図示しない着脱可能な電池と、第２プリント基板等を収容している。
なお、第２プリント基板は、通信部３３，ハードディスクドライブ３５，制御部３７、データ変換部、音声処理部、および画像処理部等を実装している。【００２５】  連結装置１７は、折曲可能に上下の筐体１１、１３を固設する。携帯電話１００は、連結装置１７によって上筐体１１と下筐体１３とが連結されることで、不使用時には、筐体１５が閉じた状態、すなわち、上筐体１１が下筐体１３と対面する状態に折り曲げられる。他方、使用時には、使用者の顔が上筐体１１と下筐体１３に対面するように筐体１５が開かれる。【００２６】  レシーバ１９は、筐体１５を閉じた時に下筐体１３と対面する上筐体１１の主面１１ａに設けられ、この主面１１ａから音声が出力するように配設されている。第１実施形態に係る携帯電話１００を通常使用するときには、通信相手の音声を出力するものである。
一方、スピーカ２１は、上筐体１１の主面１１ａとは反対側の裏面１１ｂに設けられており、メールや電話の待ち状態のようなときには、この裏面１１ｂから着信音が出力されるように配設されている。【００２７】  マイクロフォン２５と操作部２９は、筐体１５が閉じた状態のときに上筐体１１の主面１１ａと対向する下筐体１３の主面１３ａに設けられている。バイブレータ部３１は、着信時に起振することにより着信を振動で報知する。【００２８】  通信部３３は、外部装置である無線基地局との各種データの送受信を行う。ハードディスクドライブ３５は、例えば下筐体１３に設けられ、磁気ディスクの記録・再生領域に再生ヘッドをシークさせて情報の読み書きを可能としている。制御部３７は、通信部３３およびハードディスクドライブ３５を制御する。
図２に示すように、制御部３７は、中央演算装置（ＣＰＵ）４１と、調停部４３と、バイブレーション制御部４５と、ＨＤＤ制御部４７とからなる。調停部４３にはバイブレーション制御部４５と、ＨＤＤ制御部４７とが接続される。バイブレーション制御部４５はバイブレータ部（バイブレーション部）３１、ＨＤＤ制御部４７はハードディスクドライブ３５に接続される。【００２９】  制御部３７は、通信部３３により得られた着信要求に基づき、調停部４３を介してバイブレーション制御部４５へ起動信号を送出し、バイブレータ部３１を起動させる。また、制御部３７は、通信部３３から得られた各種データを調停部４３を介してＨＤＤ制御部４７へ送出し、ハードディスクドライブ３５に対する読み書き処理を制御する。
調停部４３は、これらバイブレータ部３１に対する処理と、ハードディスクドライブ３５に対する処理を後に詳述するように調停制御可能としている。【００３０】  すなわち、バイブレーション制御部４５には周期制御レジスタ４５ａが設けられている。調停部４３は、バイブレーション制御部４５から送出されたバイブレーション状態通知信号を参照してバイブレーションＯＮ／ＯＦＦ周期変更命令をバイブレーション制御部４５へ送出する。また、調停部４３は、ＨＤＤ制御部４７から送出されたＨＤＤ状態通知信号を参照してＨＤＤ制御命令をＨＤＤ制御部４７へ送出する。
第１実施形態において、制御部３７は、ハードディスクドライブ３５に対する読み書き中に通信部３３に対する着信要求を検知したときに、ハードディスクドライブ３５に対する読み書きを終了させてからバイブレータ部３１を起動させる保護モードを選択可能としている。
この場合、ハードディスクドライブ３５の読み書きは、後に詳述するように、読み書き処理が「完結」するまで行われるのではなく、必要最低限の読み書き処理が終わった時点で読み書き処理が停止される。【００３１】  また、制御部３７は、調停部４３を介して、バイブレータ部３１が起動する前に、ハードディスクドライブ３５のヘッドを記録面から退避させるとともに、バイブレータ部３１を停止するまで退避位置に維持させるようＨＤＤ制御部４７へハードディスクドライブ３５の制御信号を送出する。この構成により、ヘッドと、磁気ディスクの記録・再生面とが離反配置され、バイブレータ部３１の起動による振動で、ヘッドと記録・再生面とが接触することによる読み書き不良、あるいはヘッドや記録・再生面の破損が防止されるようになっている。【００３２】  以上のように構成された通信端末について、図３、図４を用いてその動作を説明する。図３は最低限必要なＨＤＤ書込み処理完了後にバイブレーション制御する第１実施形態のフローチャート、図４は最低限必要なＨＤＤ書込み処理完了後にバイブレーション制御する第１実施形態のタイミングチャートである。【００３３】  待ち受け中から着信通知があると、制御部３７によって着信要求が検出され、制御部３７はバイブレーション機能の有効を判断する（Ｓ１）。バイブレーション機能が無効であると、通話スイッチのＯＮが判断され（Ｓ２）、通話スイッチのＯＮまでルーチン処理がなされ、通話スイッチがＯＮされると通話が開始される（Ｓ３）。【００３４】  一方、バイブレーション機能が有効であると、制御部３７によってＨＤＤ動作時間Ｘと、バイブレーション制御時間Ｙ，Ｚが設定される（Ｓ４）。これにより、図４に示すように、最低限必要な書き込み時間Ｘでハードディスクドライブ３５がＯＮ動作（Ｓ５）された後、ＯＦＦされ（Ｓ６）、続いて、通話スイッチがＯＮされるまで、Ｙ時間のバイブレータ部３１のＯＮ（Ｓ７）と、Ｚ時間のバイブレータ部３１のＯＦＦ（Ｓ８）とが繰り返し行われる。そして、通話スイッチのＯＮが判断されると（Ｓ９）、バイブレータ部３１がＯＦＦのまま通話が開始される。
すなわち、着信コール中の時間が、読み書き期間として使われるＨＤＤ占有期間と、振動期間として使われるバイブレーション機能占有期間とに割り振られることとなる。【００３５】  このような本発明の第１の実施の形態の携帯電話１００によれば、ハードディスクドライブ３５に対する読み書き中に着信要求を検知したときに、ハードディスクドライブ３５に対する読み書きを終了させてからバイブレータ部３１を起動させる保護モードを選択可能に設けているので、読み書き中に着信要求が検知されると、制御部３７が、読み書き期間と振動期間とのそれぞれを設定し、必要最低限の書き込みをハードディスクドライブ３５に完了させた後、バイブレータ部３１を起動させる。
これにより、振動期間と読み書き期間とが重複しなくなり、バイブレータ部３１による振動からハードディスクドライブ３５を高精度に保護でき、かつ、ハードディスクドライブ３５の処理待ち時間および使用者に対する報知の処理待ち時間を低減できるという効果を有する。【００３６】  次に、本発明の第２実施形態の通信端末を図５，図６を参照して説明する。
図５はＨＤＤ処理とバイブレーション制御をタイムシェアする第２実施形態のフローチャート、図６はＨＤＤ処理とバイブレーション制御をタイムシェアする第２実施形態のタイムチャートである。
なお、以下の各実施形態および変形例において、図１，図２に示した部材・部位と同等のものには同一の符号を付し、重複する説明は省略する。【００３７】  第２実施形態による携帯電話は、制御部３７による設定が異なる。
すなわち、第２実施形態において、待ち受け中から着信通知があると、制御部３７によって着信要求が検出され、制御部３７はバイブレーション機能の有効を判断する（Ｓ１１）。バイブレーション機能が無効であると、通話スイッチのＯＮが判断され（Ｓ１２）、通話スイッチのＯＮまでルーチン処理がなされ、通話スイッチがＯＮされると通話が開始される（Ｓ１３）。【００３８】  一方、バイブレーション機能が有効であると、制御部３７によってＨＤＤ動作時間Ｘと、バイブレーション制御時間Ｙが設定される（Ｓ１４）。これにより、図６に示すように、書き込み時間Ｘでハードディスクドライブ３５がＯＮ動作（Ｓ１５）された後、ＯＦＦされ（Ｓ１６）、続いて、Ｙ時間のバイブレータ部３１のＯＮ（Ｓ１７）と、ＯＦＦ（Ｓ１８）とが繰り返し行われる。そして、通話スイッチのＯＮが判断されると（Ｓ１９）、バイブレータ部３１がＯＦＦのまま通話が開始される。
すなわち、制御部３７が、バイブレータ部３１の振動期間と、ハードディスクドライブ３５の読み書き期間とを交互に繰り返し作動させる。【００３９】  以上のように本発明の第２実施形態の通信端末によれば、読み書き中に着信要求が検知されると、制御部３７が、所定のタイムシェア期間を設定し、このタイムシェア期間を、振動期間と読み書き期間とに交互に割り振る。
したがって、所定のデューティー比で振動と読み書きとを交互に行うこととなり、バイブレータ部３１の静止時間を読み書き時間に充てて、双方の待ち時間を増大させない制御が可能となる。
これにより、着信要求と略同時にバイブレータ部３１の起動が可能となり、ハードディスクドライブ３５を保護しつつ読み書きを行って、ハードディスクドライブ３５の処理待ち時間を低減するとともに、必要最短の待ち時間でバイブレータ部３１を起動させ、使用者に対する報知の処理待ち時間を低減して、着信通知を遅らせることがない。【００４０】  なお、読み書き期間が着信コール時間より短い場合には、着信コール中の時間は、ＨＤＤ／バイブレーション機能タイムシェア期間と、バイブレーション機能占有期間とに割り振られることとなる。【００４１】  次に、本発明の第３実施形態の通信端末を図７，図８を参照して説明する。
図７はＨＤＤ処理とバイブレーション制御を周期変更可能にタイムシェアする場合の第３実施形態のタイミングチャート、図８はデューティー比を変更可能にタイムシェアする場合の第３実施形態の変形例のタイミングチャートである。【００４２】  第３実施形態による携帯電話は、制御部３７により、振動期間と読み書き期間とのデューティー比が任意に設定可能に構成される。
すなわち、図７に示すＨＤＤ／バイブレーション機能タイムシェア期間は、図６に示すＨＤＤ／バイブレーション機能タイムシェア期間と同一時間長であるが、ＨＤＤ処理回数が３回と少なく、その分、バイブレーション制御時間Ｙが長く設定される。【００４３】  また、図８に示すＨＤＤ／バイブレーション機能タイムシェア期間は、図７に示すＨＤＤ／バイブレーション機能タイムシェア期間より長く設定されるとともに、バイブレーション制御時間Ｙが短く設定され、その分、ＨＤＤ動作時間Ｘが長く設定される。【００４４】  以上のように本発明の第３実施形態の通信端末によれば、デューティー比である振動期間と読み書き期間との時間長が最適に設定可能となり、使用者に最適な報知振動パターン、或いは対象データに最適な読み書き動作パターンが設定可能となる。
これにより、ハードディスクドライブ３５の読み書き処理に応じて振動期間と読み書き期間との比率が調整でき、有効かつ、効率的な振動報知動作および読み書き動作が実現可能になるとともに、連続記録の望ましい重要データの書き込みが中断されることがなく、クリティカルな読み書き処理の要求が満たせるようになる。【００４５】  次に、本発明の第４実施形態の通信端末を図９を参照して説明する。
図９はＨＤＤ処理とバイブレーション制御の任意の組において周期を変更可能にする場合の第４実施形態のタイミングチャートである。
第４実施形態による携帯電話は、制御部３７により、ＨＤＤ処理とバイブレーション制御の任意の組において振動期間と読み書き期間との順番を変更可能とする構成を有している。すなわち、制御部３７が、一定の順番の振動期間と読み書き期間とを一組としてｎ組繰り返すに際し、任意のａ組の振動期間（バイブレーション制御時間Ｙ）と読み書き期間（ＨＤＤ動作時間Ｘ）との前後を反転させる構成を有している。【００４６】  図例では、ａ組目のバイブレーション制御時間ＹとＨＤＤ動作時間Ｘとが、他のａ−１組，ａ＋１組と前後反転されている。
ここで、ＨＤＤ動作時間Ｘには実質的な書き込み時間Ｘ１の前後に、磁気ディスク立ち上がり回転期間ｔ１と、磁気ディスク回転停止期間ｔ２とが含まれる。すなわち、Ｘ＝Ｘ１＋ｔ１＋ｔ２となっている。本実施の形態のように、反転により２つの読み書き期間（ＨＤＤ動作時間Ｘ）が連続すると、その連続部において、これら立ち上がり回転期間ｔ１と磁気ディスク回転停止期間ｔ２とが排除されることとなり、その分実質的な書き込み時間が増えることになる。
つまり、反転を行わない場合では、３組のＨＤＤ動作時間の合計は３×Ｘ１であるのに対し、反転を行うことにより、３組のＨＤＤ動作時間の合計は３×Ｘ１＋（ｔ１＋ｔ２）と増大させることが可能となる。【００４７】  以上のように本発明の第４実施形態の通信端末によれば、ａ−１組とａ組に跨って振動期間または読み書き期間のいずれか一方が連続し、ａ組とａ＋１組に跨って振動期間または読み書き期間のいずれか他方が連続することとなる。
この連続により、実質的に振動や読み書き動作に費やされていなかった時間（ｔ１＋ｔ２）が読み書き期間に利用できるようになり、その分、読み書き期間が短縮され、かつ、有効な報知が可能となる。【００４８】  なお、以上の説明では、通信端末が携帯電話１００である場合を例に説明したが、本発明は、ハードディスクドライブと振動部とを備えたその他の通信端末についても同様に実施可能である。【００４９】  本出願は、２００５年４月１１日出願の日本特許出願（特願２００５−１１３３３８）に基づくものであり、それらの内容はここに参照として取り込まれる。
【産業上の利用可能性】
【００５０】  以上のように、本発明にかかる通信端末は、振動期間と読み書き期間とが重複しなくなり、振動部による振動からハードディスクドライブを高精度に保護でき、かつ、ハードディスクドライブの処理待ち時間および使用者に対する報知の処理待ち時間を低減できるという効果を有し、振動部およびハードディスクドライブを同一の筺体に備えた通信端末等の用途に好適に適用できる。
【図１】
2006109800.tif 000002
【図２】
2006109800.tif 000003
【図３】
2006109800.tif 000004
【図４】
2006109800.tif 000005
【図５】
2006109800.tif 000006
【図６】
2006109800.tif 000007
【図７】
2006109800.tif 000008
【図８】
2006109800.tif 000009
【図９】
2006109800.tif 000010
【手続補正書】
【提出日】平成18年9月6日(2006.9.6)
【手続補正１】
【補正対象書類名】特許請求の範囲
【補正対象項目名】請求の範囲
【補正方法】変更
【補正の内容】
【書類名】請求の範囲
【請求項１】  外部装置と各種データを送受する通信部と、
ハードディスクドライブと、
前記通信部と前記ハードディスクドライブとを制御する制御部と、
前記通信部により得られた着信要求に基づき着信を報知する振動部と、を備え、
前記制御部は、前記ハードディスクドライブに対する読み書き中に前記着信要求を検知した場合、前記振動部の振動期間と、前記ハードディスクドライブの読み書き期間とを交互に作動させることを特徴とする通信端末。
【請求項２】  前記制御部は、前記振動期間と前記読み書き期間とのデューティー比を任意に設定可能とすることを特徴とする請求項１記載の通信端末。
【請求項３】  前記制御部は、一定の順番の前記振動期間と前記読み書き期間とを一組としてｎ組繰り返し、任意の組の前記振動期間と前記読み書き期間との前後を反転させることを特徴とする請求項１または請求項２記載の通信端末。
【請求項４】  前記振動部が起動する前に、前記ハードディスクドライブのヘッドが記録面から退避するとともに、前記振動部が停止するまで退避位置に維持されることを特徴とする請求項１記載の通信端末。
【請求項５】（削除）
１４
【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
外部装置と各種データを送受する通信部と、筺体に設けられ情報を読み書き可能なハードディスクドライブと、前記通信部および該ハードディスクドライブを制御する制御部と、前記通信部により得られた着信要求に基づき前記制御部によって着信を使用者に通知する報知手段とを備え、
前記報知手段が前記筺体を振動させる振動部を有する通信端末であって、
前記ハードディスクドライブに対する読み書き中に前記通信部に対する着信要求を前記制御部が検知したときに、
前記ハードディスクドライブに対する読み書きを終了させてから前記振動部を起動させる保護モードを選択可能であることを特徴とする通信端末。
【請求項２】
前記振動部が起動する前に、前記ハードディスクドライブのヘッドが記録面から退避するとともに、前記振動部が停止するまで退避位置に維持されることを特徴とする請求項１記載の通信端末。
【請求項３】
前記制御部が、前記振動部の振動期間と、前記ハードディスクドライブの読み書き期間とを交互に繰り返し作動させることを特徴とする請求項１または２記載の通信端末。
【請求項４】
前記制御部が、前記振動期間と前記読み書き期間とのデューティー比を任意に設定可能とすることを特徴とする請求項３記載の通信端末。
【請求項５】
前記制御部が、一定の順番の前記振動期間と前記読み書き期間とを一組としてｎ組繰り返すに際し、任意のａ組の前記振動期間と前記読み書き期間との前後を反転させることを特徴とする請求項３または請求項４記載の通信端末。
【手続補正２】
【補正対象書類名】明細書
【補正対象項目名】全文
【補正方法】変更
【補正の内容】
【発明の詳細な説明】
【技術分野】
【０００１】
本発明は、振動部およびハードディスクドライブを同一の筺体に備えた通信端末に関し、特に、振動部の起動からハードディスクドライブを保護しつつ、ハードディスクドライブの処理待ち時間および使用者に対する報知の処理待ち時間を低減させる改良技術に関する。
【背景技術】
【０００２】
従来の通信端末である携帯電話は、筺体に操作部、表示部、通信部、制御部、記憶部、マイクロホン、レシーバ（通話相手の声を聞くためのもの）、着信の報知手段であるスピーカ（着信音や音声を出力）、着信の報知手段である振動部（バイブレータ）を備えて構成される。
近年、この種の通信端末では、記憶容量の大容量化の要請があり、経済的に有利なハードディスクドライブ（ＨＤＤ）を採用した携帯電話が提案されている。
【０００３】
ところが、ハードディスクドライブと振動部とを同一筺体に備えた携帯電話では、ハードディスクドライブの読み書き期間中に振動部が起動されると、その振動によってヘッドの変位に伴うシークエラーが起き、リードエラー、ライトエラー、ディスクの損傷等が発生し易くなる問題があった。
【０００４】
そのため、例えば、ハードディスクドライブを内蔵する情報端末機器等の小型電子機器において、筺体の振動を検知するセンサを設け、このセンサが異常を検知したとき、動作の中断処理、および起動の停止処理の少なくともいずれかを実行する手段を備えたものが提案されている。
この電子機器では、振動センサより出力された検知信号に伴うＳＭＩ（SystemManagement Interrupt）通知により、ＣＰＵのＢＩＯＳ処理により、駆動停止を伴うメモリサスペンド処理が実行される。すなわち、振動センサにより振動部の振動を検出し、振動が許容範囲を超える場合に読み書きを中断してハードディスクドライブの保護処理が行われる。これにより、ハードディスクドライブの障害を回避し、その障害により派生するデータ破壊の回避を図っている（例えば特許文献１参照）。
【特許文献１】特開２００１−１８４７７２号公報
【発明の開示】
【発明が解決しようとする課題】
【０００５】
しかしながら、従来の通信端末においては、振動部の振動をセンサにて検出するまでの間、および検出してから読み書きを中断させるまでの間に所定の時間を要するため、振動を検出してから読み書き中断までにタイムラグがあり、保護処理が不十分となる（間に合わない）可能性があった。
【０００６】
そして、着信要求を受けた時に、ハードディスクドライブの読み書き処理が「完結」するまで振動部を停止すれば、使用者への着信通知時間が遅れてしまう。
また、逆に読み書き処理を停止して着信通知を先に行い、使用者の着信確認後に読み書き処理を再開すれば、読み書き処理が遅れてしまう。
つまり、ハードディスクドライブの処理待ち時間、または使用者に対する報知の処理待ち時間のいずれかが増大化してしまう問題があった。
【０００７】
一方、ハードディスクドライブを確実に保護するために、制御部が着信要求を受け、振動部を起動させる前にハードディスクドライブに対する読み書きを「一時的」に中断する方法も考えられるが、ハードディスクドライブに対する読み書きが無条件に中断されると、重要（クリティカル）な処理が中断される可能性があり、システムエラーの生じる虞があった。
【０００８】
本発明は、従来の問題を解決するためになされたもので、振動部が起動してもハードディスクドライブを保護でき、かつ、ハードディスクドライブの処理待ち時間および使用者に対する報知の処理待ち時間を低減することのできる通信端末を提供することを目的とする。
【課題を解決するための手段】
【０００９】
本発明の通信端末は、外部装置と各種データを送受する通信部と、筺体に設けられ情報を読み書き可能なハードディスクドライブと、前記通信部および該ハードディスクドライブを制御する制御部と、前記通信部により得られた着信要求に基づき前記制御部によって着信を使用者に通知する報知手段とを備え、前記報知手段が前記筺体を振動させる振動部を有する通信端末であって、前記ハードディスクドライブに対する読み書き中に前記通信部に対する着信要求を前記制御部が検知したときに、前記ハードディスクドライブに対する読み書きを終了させてから前記振動部を起動させる保護モードを選択可能とした構成を有している。
【００１０】
この構成により、読み書き中に着信要求が検知されると、制御部が、ハードディスクドライブの作動に割り当てられる占有期間（読み書き期間）と、振動部の作動に割り当てられる占有期間（振動期間）とのそれぞれを設定する。これにより、必要最低限の書き込みをハードディスクドライブに完了させた後、必要最短の待ち時間で振動部を起動させることが可能となる。
【００１１】
また、本発明の通信端末は、前記振動部が起動する前に、前記ハードディスクドライブのヘッドが記録面から退避するとともに、前記振動部が停止するまで退避位置に維持される構成を有している。
【００１２】
この構成により、ヘッドと、磁気ディスクの記録・再生面とが離反配置され、振動部の起動による振動で、ヘッドと記録・再生面とが接触することによる読み書き不良、あるいはヘッドや記録・再生面の破損が防止される。
【００１３】
さらに、本発明の通信端末は、前記制御部が、前記振動部の振動期間と、前記ハードディスクドライブの読み書き期間とを交互に繰り返し作動させる構成を有している。
【００１４】
この構成により、読み書き中に着信要求が検知されると、制御部が、所定のタイムシェア期間を設定し、このタイムシェア期間を、振動期間と読み書き期間とに交互に割り振る。
したがって、所定のデューティー比で振動と読み書きとを交互に行うこととなり、振動部の静止時間を読み書き時間に充てて、双方の待ち時間を増大させない制御が可能となる。
これにより、着信要求と略同時に振動部の起動が可能となり、ハードディスクドライブを保護しつつ読み書きを行って、ハードディスクドライブの処理待ち時間を低減するとともに、必要最短の待ち時間で振動部を起動させ、使用者に対する報知の処理待ち時間を低減して、着信通知を遅らせることがない。
【００１５】
さらに、本発明の通信端末は、前記制御部が、前記振動期間と前記読み書き期間とのデューティー比を任意に設定可能とする構成を有している。
【００１６】
この構成により、デューティー比である振動期間と読み書き期間との時間長が最適に設定可能となり、使用者に最適な報知振動パターン、或いは対象データに最適な読み書き動作パターンが設定可能となる。これにより、ハードディスクドライブの読み書き処理に応じて振動期間と読み書き期間との比率が調整でき、有効かつ、効率的な振動報知動作および読み書き動作が実現可能になるとともに、クリティカルな読み書き処理の要求が満たせるようになる。
【００１７】
また、本発明の通信端末は、前記制御部が、一定の順番の前記振動期間と前記読み書き期間とを一組としてｎ組繰り返すに際し、任意のａ組の前記振動期間と前記読み書き期間との前後を反転させる構成を有している。
【００１８】
この構成により、ａ−１組とａ組に跨って振動期間または読み書き期間のいずれか一方が連続し、ａ組とａ＋１組に跨って振動期間または読み書き期間のいずれか他方が連続することとなる。この連続により、実質的に読み書き動作に費やされていなかった時間が読み書き期間に利用できるようになり、その分、読み書き期間が短縮され、かつ、有効な報知が可能となる。
【発明の効果】
【００１９】
本発明は、通信部と、ハードディスクドライブと、これらを制御する制御部と、通信部により得られた着信を使用者に通知する報知手段とを備え、報知手段が振動部を有する通信端末であって、ハードディスクドライブに対する読み書き中に着信要求を検知したときに、ハードディスクドライブに対する読み書きを終了させてから振動部を起動させる保護モードを選択可能に設けている。した
がって、読み書き中に着信要求が検知されると、制御部が、読み書き期間と振動期間とのそれぞれを設定し、必要最低限の書き込みをハードディスクドライブに完了させた後、振動部を起動させる。これにより、振動期間と読み書き期間とが重複しなくなり、振動部による振動からハードディスクドライブを高精度に保護でき、かつ、ハードディスクドライブの処理待ち時間および使用者に対する報知の処理待ち時間を低減できるという効果を有する通信端末を提供することができる。
【発明を実施するための最良の形態】
【００２０】
以下、本発明の実施形態の通信端末について、図面を用いて説明する。
図１は本発明の第１実施形態に係る通信端末の外観斜視図、図２は図１に示した通信端末の要部構成を表したブロック図である。
図１に示すように、通信端末である携帯電話１００は、上筐体１１および下筐体１３からなる筐体１５と、これら上下の筐体１１、１３を固設し、これら上下の筐体１１、１３の間で折り曲り可能な連結装置１７とを備えている。
【００２１】
このうち、上筐体１１は、第１の音声出力部である受話部（レシーバ）１９と、報知手段として働く第２の音声出力部であるスピーカ２１と、表示部２３と、図示しない第１プリント基板等を収容している。
なお、第１プリント基板には、表示部２３を構成するＬＣＤ等が設けられている。
【００２２】
一方、下筐体１３には、送話部（マイクロフォン）２５と、複数のボタン２７からなる操作部２９と、報知手段である振動部（バイブレータ部）３１と、通信部３３と、ハードディスクドライブ３５と、制御部３７と、図示しない着脱可能な電池と、第２プリント基板等を収容している。
なお、第２プリント基板は、通信部３３，ハードディスクドライブ３５，制御部３７、データ変換部、音声処理部、および画像処理部等を実装している。
【００２３】
連結装置１７は、折曲可能に上下の筐体１１、１３を固設する。携帯電話１００は、連結装置１７によって上筐体１１と下筐体１３とが連結されることで、不使用時には、筐体１５が閉じた状態、すなわち、上筐体１１が下筐体１３と対面する状態に折り曲げられる。他方、使用時には、使用者の顔が上筐体１１と下筐体１３に対面するように筐体１５が開かれる。
【００２４】
レシーバ１９は、筐体１５を閉じた時に下筐体１３と対面する上筐体１１の主面１１ａに設けられ、この主面１１ａから音声が出力するように配設されている。第１実施形態に係る携帯電話１００を通常使用するときには、通信相手の音声を出力するものである。
一方、スピーカ２１は、上筐体１１の主面１１ａとは反対側の裏面１１ｂに設けられており、メールや電話の待ち状態のようなときには、この裏面１１ｂから着信音が出力されるように配設されている。
【００２５】
マイクロフォン２５と操作部２９は、筐体１５が閉じた状態のときに上筐体１１の主面１１ａと対向する下筐体１３の主面１３ａに設けられている。バイブレータ部３１は、着信時に起振することにより着信を振動で報知する。
【００２６】
通信部３３は、外部装置である無線基地局との各種データの送受信を行う。
ハードディスクドライブ３５は、例えば下筐体１３に設けられ、磁気ディスクの記録・再生領域に再生ヘッドをシークさせて情報の読み書きを可能としている。制御部３７は、通信部３３およびハードディスクドライブ３５を制御する。
図２に示すように、制御部３７は、中央演算装置（ＣＰＵ）４１と、調停部４３と、バイブレーション制御部４５と、ＨＤＤ制御部４７とからなる。調停部４３にはバイブレーション制御部４５と、ＨＤＤ制御部４７とが接続される。バイブレーション制御部４５はバイブレータ部（バイブレーション部）３１、ＨＤＤ制御部４７はハードディスクドライブ３５に接続される。
【００２７】
制御部３７は、通信部３３により得られた着信要求に基づき、調停部４３を介してバイブレーション制御部４５へ起動信号を送出し、バイブレータ部３１を起動させる。また、制御部３７は、通信部３３から得られた各種データを調停部４３を介してＨＤＤ制御部４７へ送出し、ハードディスクドライブ３５に対する読み書き処理を制御する。
調停部４３は、これらバイブレータ部３１に対する処理と、ハードディスクドライブ３５に対する処理を後に詳述するように調停制御可能としている。
【００２８】
すなわち、バイブレーション制御部４５には周期制御レジスタ４５ａが設けられている。調停部４３は、バイブレーション制御部４５から送出されたバイブレーション状態通知信号を参照してバイブレーションＯＮ／ＯＦＦ周期変更命令をバイブレーション制御部４５へ送出する。また、調停部４３は、ＨＤＤ制御部４７から送出されたＨＤＤ状態通知信号を参照してＨＤＤ制御命令をＨＤＤ制御部４７へ送出する。
第１実施形態において、制御部３７は、ハードディスクドライブ３５に対する読み書き中に通信部３３に対する着信要求を検知したときに、ハードディスクドライブ３５に対する読み書きを終了させてからバイブレータ部３１を起動させる保護モードを選択可能としている。
この場合、ハードディスクドライブ３５の読み書きは、後に詳述するように、読み書き処理が「完結」するまで行われるのではなく、必要最低限の読み書き処理が終わった時点で読み書き処理が停止される。
【００２９】
また、制御部３７は、調停部４３を介して、バイブレータ部３１が起動する前に、ハードディスクドライブ３５のヘッドを記録面から退避させるとともに、バイブレータ部３１を停止するまで退避位置に維持させるようＨＤＤ制御部４７へハードディスクドライブ３５の制御信号を送出する。この構成により、ヘッドと、磁気ディスクの記録・再生面とが離反配置され、バイブレータ部３１の起動による振動で、ヘッドと記録・再生面とが接触することによる読み書き不良、あるいはヘッドや記録・再生面の破損が防止されるようになっている。
【００３０】
以上のように構成された通信端末について、図３、図４を用いてその動作を説明する。  図３は最低限必要なＨＤＤ書込み処理完了後にバイブレーション制御する第１実施形態のフローチャート、図４は最低限必要なＨＤＤ書込み処理完了後にバイブレーション制御する第１実施形態のタイミングチャートである。
【００３１】
待ち受け中から着信通知があると、制御部３７によって着信要求が検出され、制御部３７はバイブレーション機能の有効を判断する（Ｓ１）。バイブレーション機能が無効であると、通話スイッチのＯＮが判断され（Ｓ２）、通話スイッチのＯＮまでルーチン処理がなされ、通話スイッチがＯＮされると通話が開始される（Ｓ３）。
【００３２】
一方、バイブレーション機能が有効であると、制御部３７によってＨＤＤ動作時間Ｘと、バイブレーション制御時間Ｙ，Ｚが設定される（Ｓ４）。これにより、図４に示すように、最低限必要な書き込み時間Ｘでハードディスクドライブ３５がＯＮ動作（Ｓ５）された後、ＯＦＦされ（Ｓ６）、続いて、通話スイッチがＯＮされるまで、Ｙ時間のバイブレータ部３１のＯＮ（Ｓ７）と、Ｚ時間のバイブレータ部３１のＯＦＦ（Ｓ８）とが繰り返し行われる。そして、通話スイッチのＯＮが判断されると（Ｓ９）、バイブレータ部３１がＯＦＦのまま通話が開始される。
すなわち、着信コール中の時間が、読み書き期間として使われるＨＤＤ占有期間と、振動期間として使われるバイブレーション機能占有期間とに割り振られることとなる。
【００３３】
このような本発明の第１の実施の形態の携帯電話１００によれば、ハードディスクドライブ３５に対する読み書き中に着信要求を検知したときに、ハードディスクドライブ３５に対する読み書きを終了させてからバイブレータ部３１を起動させる保護モードを選択可能に設けているので、読み書き中に着信要求が検知されると、制御部３７が、読み書き期間と振動期間とのそれぞれを設定し、必要最低限の書き込みをハードディスクドライブ３５に完了させた後、バイブレータ部３１を起動させる。
これにより、振動期間と読み書き期間とが重複しなくなり、バイブレータ部３１による振動からハードディスクドライブ３５を高精度に保護でき、かつ、ハードディスクドライブ３５の処理待ち時間および使用者に対する報知の処理待ち時間を低減できるという効果を有する。
【００３４】
次に、本発明の第２実施形態の通信端末を図５，図６を参照して説明する。
図５はＨＤＤ処理とバイブレーション制御をタイムシェアする第２実施形態のフローチャート、図６はＨＤＤ処理とバイブレーション制御をタイムシェアする第２実施形態のタイムチャートである。
なお、以下の各実施形態および変形例において、図１，図２に示した部材・部位と同等のものには同一の符号を付し、重複する説明は省略する。
【００３５】
第２実施形態による携帯電話は、制御部３７による設定が異なる。
すなわち、第２実施形態において、待ち受け中から着信通知があると、制御部３７によって着信要求が検出され、制御部３７はバイブレーション機能の有効を判断する（Ｓ１１）。バイブレーション機能が無効であると、通話スイッチのＯＮが判断され（Ｓ１２）、通話スイッチのＯＮまでルーチン処理がなされ、通話スイッチがＯＮされると通話が開始される（Ｓ１３）。
【００３６】
一方、バイブレーション機能が有効であると、制御部３７によってＨＤＤ動作時間Ｘと、バイブレーション制御時間Ｙが設定される（Ｓ１４）。これにより、図６に示すように、書き込み時間Ｘでハードディスクドライブ３５がＯＮ動作（Ｓ１５）された後、ＯＦＦされ（Ｓ１６）、続いて、Ｙ時間のバイブレータ部３１のＯＮ（Ｓ１７）と、ＯＦＦ（Ｓ１８）とが繰り返し行われる。そして、通話スイッチのＯＮが判断されると（Ｓ１９）、バイブレータ部３１がＯＦＦのまま通話が開始される。
すなわち、制御部３７が、バイブレータ部３１の振動期間と、ハードディスクドライブ３５の読み書き期間とを交互に繰り返し作動させる。
【００３７】
以上のように本発明の第２実施形態の通信端末によれば、読み書き中に着信要求が検知されると、制御部３７が、所定のタイムシェア期間を設定し、このタイムシェア期間を、振動期間と読み書き期間とに交互に割り振る。
したがって、所定のデューティー比で振動と読み書きとを交互に行うこととなり、バイブレータ部３１の静止時間を読み書き時間に充てて、双方の待ち時間を増大させない制御が可能となる。
これにより、着信要求と略同時にバイブレータ部３１の起動が可能となり、ハードディスクドライブ３５を保護しつつ読み書きを行って、ハードディスクドライブ３５の処理待ち時間を低減するとともに、必要最短の待ち時間でバイブレータ部３１を起動させ、使用者に対する報知の処理待ち時間を低減して、着信通知を遅らせることがない。
【００３８】
なお、読み書き期間が着信コール時間より短い場合には、着信コール中の時間は、ＨＤＤ／バイブレーション機能タイムシェア期間と、バイブレーション機能占有期間とに割り振られることとなる。
【００３９】
次に、本発明の第３実施形態の通信端末を図７，図８を参照して説明する。
図７はＨＤＤ処理とバイブレーション制御を周期変更可能にタイムシェアする場合の第３実施形態のタイミングチャート、図８はデューティー比を変更可能にタイムシェアする場合の第３実施形態の変形例のタイミングチャートである。
【００４０】
第３実施形態による携帯電話は、制御部３７により、振動期間と読み書き期間とのデューティー比が任意に設定可能に構成される。
すなわち、図７に示すＨＤＤ／バイブレーション機能タイムシェア期間は、図６に示すＨＤＤ／バイブレーション機能タイムシェア期間と同一時間長であるが、ＨＤＤ処理回数が３回と少なく、その分、バイブレーション制御時間Ｙが長く設定される。
【００４１】
また、図８に示すＨＤＤ／バイブレーション機能タイムシェア期間は、図７に示すＨＤＤ／バイブレーション機能タイムシェア期間より長く設定されるとともに、バイブレーション制御時間Ｙが短く設定され、その分、ＨＤＤ動作時間Ｘが長く設定される。
【００４２】
以上のように本発明の第３実施形態の通信端末によれば、デューティー比である振動期間と読み書き期間との時間長が最適に設定可能となり、使用者に最適な報知振動パターン、或いは対象データに最適な読み書き動作パターンが設定可能となる。
これにより、ハードディスクドライブ３５の読み書き処理に応じて振動期間と読み書き期間との比率が調整でき、有効かつ、効率的な振動報知動作および読み書き動作が実現可能になるとともに、連続記録の望ましい重要データの書き込みが中断されることがなく、クリティカルな読み書き処理の要求が満たせるようになる。
【００４３】
次に、本発明の第４実施形態の通信端末を図９を参照して説明する。
図９はＨＤＤ処理とバイブレーション制御の任意の組において周期を変更可能にする場合の第４実施形態のタイミングチャートである。
第４実施形態による携帯電話は、制御部３７により、ＨＤＤ処理とバイブレーション制御の任意の組において振動期間と読み書き期間との順番を変更可能とする構成を有している。すなわち、制御部３７が、一定の順番の振動期間と読み書き期間とを一組としてｎ組繰り返すに際し、任意のａ組の振動期間（バイブレーション制御時間Ｙ）と読み書き期間（ＨＤＤ動作時間Ｘ）との前後を反転させる構成を有している。
【００４４】
図例では、ａ組目のバイブレーション制御時間ＹとＨＤＤ動作時間Ｘとが、他のａ−１組，ａ＋１組と前後反転されている。
ここで、ＨＤＤ動作時間Ｘには実質的な書き込み時間Ｘ１の前後に、磁気ディスク立ち上がり回転期間ｔ１と、磁気ディスク回転停止期間ｔ２とが含まれる。すなわち、Ｘ＝Ｘ１＋ｔ１＋ｔ２となっている。本実施の形態のように、反転により２つの読み書き期間（ＨＤＤ動作時間Ｘ）が連続すると、その連続部において、これら立ち上がり回転期間ｔ１と磁気ディスク回転停止期間ｔ２とが排除されることとなり、その分実質的な書き込み時間が増えることになる。
つまり、反転を行わない場合では、３組のＨＤＤ動作時間の合計は３×Ｘ１であるのに対し、反転を行うことにより、３組のＨＤＤ動作時間の合計は３×Ｘ１＋（ｔ１＋ｔ２）と増大させることが可能となる。
【００４５】
以上のように本発明の第４実施形態の通信端末によれば、ａ−１組とａ組に跨って振動期間または読み書き期間のいずれか一方が連続し、ａ組とａ＋１組に跨って振動期間または読み書き期間のいずれか他方が連続することとなる。
この連続により、実質的に振動や読み書き動作に費やされていなかった時間（ｔ１＋ｔ２）が読み書き期間に利用できるようになり、その分、読み書き期間が短縮され、かつ、有効な報知が可能となる。
【００４６】
なお、以上の説明では、通信端末が携帯電話１００である場合を例に説明したが、本発明は、ハードディスクドライブと振動部とを備えたその他の通信端末についても同様に実施可能である。
【００４７】
本出願は、２００５年４月１１日出願の日本特許出願（特願2005-113338）に基づくものであり、それらの内容はここに参照として取り込まれる。
【産業上の利用可能性】
【００４８】
以上のように、本発明にかかる通信端末は、振動期間と読み書き期間とが重複しなくなり、振動部による振動からハードディスクドライブを高精度に保護でき、かつ、ハードディスクドライブの処理待ち時間および使用者に対する報知の処理待ち時間を低減できるという効果を有し、振動部およびハードディスクドライブを同一の筺体に備えた通信端末等の用途に好適に適用できる。
【図面の簡単な説明】
【００４９】
【図１】本発明の第１実施形態に係る通信端末の外観斜視図である。
【図２】図１に示した通信端末の要部構成を表したブロック図である。
【図３】最低限必要なＨＤＤ書込み処理完了後にバイブレーション制御する第１実施形態のフローチャートである。
【図４】最低限必要なＨＤＤ書込み処理完了後にバイブレーション制御する第１実施形態のタイミングチャートである。
【図５】ＨＤＤ処理とバイブレーション制御をタイムシェアする第２実施形態のフローチャートである。
【図６】ＨＤＤ処理とバイブレーション制御をタイムシェアする第２実施形態のタイムチャートである。
【図７】ＨＤＤ処理とバイブレーション制御を周期変更可能にタイムシェアする場合の第３実施形態のタイミングチャートである。
【図８】デューティー比を変更可能にタイムシェアする場合の第３実施形態の変形例のタイミングチャートである。
【図９】ＨＤＤ処理とバイブレーション制御の任意の組において周期を変更可能にする場合の第４実施形態のタイミングチャートである。
【符号の説明】
【００５０】
１５  筺体
２１  スピーカ（報知手段）
３１  バイブレータ部（振動部；報知手段）
３３  通信部
３５  ハードディスクドライブ
３７  制御部
１００  携帯電話（通信端末）
Ｘ  ＨＤＤ動作時間（読み書き期間）
Ｙ  バイブレーション制御時間（振動期間）
【手続補正３】
【補正対象書類名】図面
【補正対象項目名】全図
【補正方法】変更
【補正の内容】
【図１】
2006109800.tif 000011
【図２】
2006109800.tif 000012
【図３】
2006109800.tif 000013
【図４】
2006109800.tif 000014
【図５】
2006109800.tif 000015
【図６】
2006109800.tif 000016
【図７】
2006109800.tif 000017
【図８】
2006109800.tif 000018
【図９】
2006109800.tif 000019
【国際調査報告】
2006109800.tif 000020
2006109800.tif 000021